(57)【特許請求の範囲】
【請求項１】
側溝とか横断溝等の排水溝に配備されるグレーチングであって、
グレーチング本体と、そのグレーチング本体を受ける受け枠と、前記グレーチング本体を前記受け枠に着脱可能に取り付け固定するグレーチング本体固定手段とを備え、
前記受け枠は、受け枠本体と、延設部とを有し、
前記受け枠本体は、前記排水溝の蓋掛部のそれぞれに載るかさ上げ材と、それらかさ上げ材を各端側で連結する連結材とから構成され、前記延設部は、前記排水溝の排水路を覆う天壁、または前記排水溝に載置される溝蓋の下に入り込むよう、前記連結材のそれぞれから延設されており、
前記延設部の少なくとも一方は、前記受け枠本体とは別体の延設片に設けられ、前記受け枠は、前記延設片を前記連結材に着脱可能に取り付け固定する延設片固定手段を有し、
前記延設片固定手段は、互いに螺合する延設片固定用ボルトと延設片固定用雌ねじとからなり、それら延設片固定用ボルトと延設片固定用雌ねじとの組が、一つの前記延設片に対し、二組設けられることを特徴とする、グレーチング。
【請求項２】
前記かさ上げ材には、前記排水溝の側壁の内面と対向することで、前記排水溝に対するずれを防止する、ずれ止め片が設けられていることを特徴とする、請求項１に記載のグレーチング。
【請求項３】
前記グレーチング本体固定手段は、互いに螺合する本体固定用ボルトと本体固定用雌ねじとからなることを特徴とする、請求項１または２に記載のグレーチング。
【請求項４】
前記かさ上げ材は、パイプ状に形成されており、
前記本体固定用雌ねじは、前記かさ上げ材の上部壁に設けられ、前記本体固定用ボルトは、前記グレーチング本体に設けられた取付孔を通って前記本体固定用雌ねじにねじ込まれることを特徴とする、請求項３に記載のグレーチング。
【請求項５】
側溝とか横断溝等の排水溝において、グレーチング本体が着脱可能に取り付け固定される受け枠であって、
受け枠本体と、延設部とを有し、
前記受け枠本体は、前記排水溝の蓋掛部のそれぞれに載るかさ上げ材と、それらかさ上げ材を各端側で連結する連結材とから構成され、前記延設部は、前記排水溝の排水路を覆う天壁、または前記排水溝に載置される溝蓋の下に入り込むよう、前記連結材のそれぞれから延設されており、
前記延設部の少なくとも一方は、前記受け枠本体とは別体の延設片に設けられ、かつ、その延設片は、延設片固定手段によって、前記連結材に着脱可能に取り付け固定され、
前記延設片固定手段は、互いに螺合する延設片固定用ボルトと延設片固定用雌ねじとからなり、それら延設片固定用ボルトと延設片固定用雌ねじとの組が、一つの前記延設片に対し、二組設けられることを特徴とする、受け枠。
【請求項６】
前記かさ上げ材には、前記排水溝の側壁の内面と対向することで、前記排水溝に対するずれを防止する、ずれ止め片が設けられていることを特徴とする、請求項５に記載の受け枠。
【請求項７】
前記かさ上げ材は、パイプ状に形成されており、
前記かさ上げ材の上部壁には、前記グレーチング本体を取り付け固定するための本体固定用ボルトがねじ込まれる、本体固定用雌ねじが設けられていることを特徴とする、請求項５または６に記載の受け枠。
【発明の詳細な説明】
【技術分野】
【０００１】
この発明は、跳ね上がり防止用のグレーチング、および受け枠に関するものである。
【背景技術】
【０００２】
従来、グレーチングの跳ね上がりを防止するために、グレーチング本体を受ける受け枠を設けたものがあった。（例えば、特許文献１参照）。図１２に基づいて説明すると、この受け枠１２は、溝ブロック１１の蓋掛部１１ａ、１１ａに載る断面逆Ｌ字状の第１部材１３、１３と、それら第１部材１３、１３を各端側で連結する第２部材１４、１４とから構成されていた。そして、第２部材１４からは、隣接するコンクリート蓋１５の下に入り込む延設部１４ａが延設されていた。また、この受け枠１２の第１部材１３には、ナット１３ａが設けられており、このナット１３ａにボルトをねじ込むことによって、グレーチング本体（図示せず）は、受け枠１２に固定された。
【０００３】
【特許文献１】特開２００５−１５５２８１号公報
【発明の開示】
【発明が解決しようとする課題】
【０００４】
ところで、前記受け枠１２にあっては、第１部材１３、１３と第２部材１４、１４とで枠を形成するため、安定はしているが、延設部１４ａが、枠を構成する第２部材１４と一体となっていたため、溝ブロック１１への配備に制限があった。すなわち、この受け枠１２を溝ブロック１１に配備するには、隣接するコンクリート蓋１５、１５が無い状態で配備し、その後にコンクリート蓋１５、１５を載置する必要があった。また、可変側溝用の溝ブロックとか暗渠型の溝ブロックとかの、排水路を覆う天壁を備える溝ブロックにおいては、この受け枠１２を配備することができなかった。
【０００５】
この発明は、上記した従来の欠点を解決するためになされたものであり、その目的とするところは、施工の際の制限が少ない、グレーチング、および受け枠を提供することにある。
【課題を解決するための手段】
【０００６】
この発明に係るグレーチング、および受け枠は、前記目的を達成するために、次の構成からなる。すなわち、
請求項１に記載の発明に係るグレーチングは、側溝とか横断溝等の排水溝に配備されるグレーチングであって、グレーチング本体と、そのグレーチング本体を受ける受け枠と、前記グレーチング本体を前記受け枠に着脱可能に取り付け固定するグレーチング本体固定手段とを備える。ここで、前記受け枠は、受け枠本体と、延設部とを有する。そして、前記受け枠本体は、前記排水溝の蓋掛部のそれぞれに載るかさ上げ材と、それらかさ上げ材を各端側で連結する連結材とから構成される。一方、前記延設部は、前記排水溝の排水路を覆う天壁、または前記排水溝に載置される溝蓋の下に入り込むよう、前記連結材のそれぞれから延設されている。そして、前記延設部の少なくとも一方は、前記受け枠本体とは別体の延設片に設けられる。また、前記受け枠は、前記延設片を前記連結材に着脱可能に取り付け固定する延設片固定手段を有する。ここにおいて、前記延設片固定手段は、互いに螺合する延設片固定用ボルトと延設片固定用雌ねじとからなり、それら延設片固定用ボルトと延設片固定用雌ねじとの組が、一つの前記延設片に対し、二組設けられる。
【０００７】
このグレーチングを排水溝に配備するには、始めに、受け枠本体を、そのかさ上げ材が蓋掛部に載るようにして、排水溝に配置する。このとき、延設部の両方が、受け枠本体と別体の延設片に設けられている場合には、受け枠本体を真直ぐ下ろすようにして、その受け枠本体を排水溝に配置することができる。また、延設部の一方のみが、受け枠本体と別体の延設片に設けられている場合には、受け枠本体と一体となった延設部側が下となるように、受け枠本体を傾斜させて、その一体となった延設部を、排水溝の排水路を覆う天壁とか、排水溝に載置された溝蓋の下に差し入れ、続いて、受け枠本体の、延設部が設けられていない側を下ろすようにして、この受け枠本体を排水溝に配置することができる。こうして、受け枠本体を排水溝に配置した後、延設片を、その延設部を天壁とか溝蓋の下に差し入れるようにして、受け枠本体の連結材に、延設片固定手段を用いて取り付け固定する。このようにして、受け枠を、天壁を備える排水溝とか、溝蓋が載置された排水溝にも配備することができる。そして、その後に、グレーチング本体を、受け枠に、グレーチング本体固定手段を用いて取り付け固定する。ここにおいて、排水溝のメンテナンス等においては、受け枠を取り外す必要がなく、また、受け枠側にかさ上げ材が設けられているため、グレーチング本体は軽くなり、そのグレーチング本体の着脱の作業が容易となる。
また、延設片固定手段は、互いに螺合する延設片固定用ボルトと延設片固定用雌ねじとからなる。このように、ボルトと雌ねじを用いて、延設片を受け枠本体の連結材に取り付け固定することで、延設片における延設部と、排水溝の天壁とか溝蓋の下面との隙間を調整したり、あるいは、延設部を天壁とか溝蓋の下面に当接させたりすることが可能となる。
【０００８】
また、請求項２に記載の発明に係るグレーチングは、請求項１に記載のグレーチングにおいて、前記かさ上げ材には、前記排水溝の側壁の内面と対向することで、前記排水溝に対するずれを防止する、ずれ止め片が設けられている。
【０００９】
また、請求項３に記載の発明に係るグレーチングは、請求項１または２に記載のグレーチングにおいて、前記グレーチング本体固定手段は、互いに螺合する本体固定用ボルトと本体固定用雌ねじとからなる。
【００１０】
また、請求項４に記載の発明に係るグレーチングは、請求項３に記載のグレーチングにおいて、前記かさ上げ材は、パイプ状に形成されている。そして、前記本体固定用雌ねじは、前記かさ上げ材の上部壁に設けられ、前記本体固定用ボルトは、前記グレーチング本体に設けられた取付孔を通って前記本体固定用雌ねじにねじ込まれる。このように、パイプ状に形成されたかさ上げ材の上部壁に、本体固定用雌ねじが設けられることで、この本体固定用雌ねじにねじ込まれる本体固定用ボルトの先端部分を、かさ上げ材の内側空間に収容することができる。
【００１１】
また、請求項５に記載の発明に係る受け枠は、側溝とか横断溝等の排水溝において、グレーチング本体が着脱可能に取り付け固定される受け枠であって、受け枠本体と、延設部とを有する。ここで、前記受け枠本体は、前記排水溝の蓋掛部のそれぞれに載るかさ上げ材と、それらかさ上げ材を各端側で連結する連結材とから構成される。一方、前記延設部は、前記排水溝の排水路を覆う天壁、または前記排水溝に載置される溝蓋の下に入り込むよう、前記連結材のそれぞれから延設されている。そして、前記延設部の少なくとも一方は、前記受け枠本体とは別体の延設片に設けられ、かつ、その延設片は、延設片固定手段によって、前記連結材に着脱可能に取り付け固定される。ここにおいて、前記延設片固定手段は、互いに螺合する延設片固定用ボルトと延設片固定用雌ねじとからなり、それら延設片固定用ボルトと延設片固定用雌ねじとの組が、一つの前記延設片に対し、二組設けられる。
【００１２】
この受け枠を排水溝に配備するには、始めに、受け枠本体を、そのかさ上げ材が蓋掛部に載るようにして、排水溝に配置する。このとき、延設部の両方が、受け枠本体と別体の延設片に設けられている場合には、受け枠本体を真直ぐ下ろすようにして、その受け枠本体を排水溝に配置することができる。また、延設部の一方のみが、受け枠本体と別体の延設片に設けられている場合には、受け枠本体と一体となった延設部側が下となるように、受け枠本体を傾斜させて、その一体となった延設部を、排水溝の排水路を覆う天壁とか、排水溝に載置された溝蓋の下に差し入れ、続いて、受け枠本体の、延設部が設けられていない側を下ろすようにして、この受け枠本体を排水溝に配置することができる。こうして、受け枠本体を排水溝に配置した後、延設片を、その延設部を天壁とか溝蓋の下に差し入れるようにして、受け枠本体の連結材に、延設片固定手段を用いて取り付け固定する。このようにして、受け枠を、天壁を備える排水溝とか、溝蓋が載置された排水溝にも配備することができる。そして、その後に、グレーチング本体を、受け枠に取り付け固定する。ここにおいて、排水溝のメンテナンス等においては、受け枠を取り外す必要がなく、また、受け枠側にかさ上げ材が設けられているため、グレーチング本体は軽くなり、そのグレーチング本体の着脱の作業が容易となる。
また、延設片固定手段は、互いに螺合する延設片固定用ボルトと延設片固定用雌ねじとからなる。このように、ボルトと雌ねじを用いて、延設片を受け枠本体の連結材に取り付け固定することで、延設片における延設部と、排水溝の天壁とか溝蓋の下面との隙間を調整したり、あるいは、延設部を天壁とか溝蓋の下面に当接させたりすることが可能となる。
【００１３】
また、請求項６に記載の発明に係る受け枠は、請求項５に記載の受け枠において、前記かさ上げ材には、前記排水溝の側壁の内面と対向することで、前記排水溝に対するずれを防止する、ずれ止め片が設けられている。
【００１４】
また、請求項７に記載の発明に係る受け枠は、請求項５または６に記載の受け枠において、前記かさ上げ材は、パイプ状に形成されている。そして、前記かさ上げ材の上部壁には、前記グレーチング本体を取り付け固定するための本体固定用ボルトがねじ込まれる、本体固定用雌ねじが設けられている。このように、パイプ状に形成されたかさ上げ材の上部壁に、本体固定用雌ねじが設けられることで、この本体固定用雌ねじにねじ込まれる本体固定用ボルトの先端部分を、かさ上げ材の内側空間に収容することができる。
【発明の効果】
【００１５】
この発明に係るグレーチング、および受け枠によれば、受け枠を、天壁を備える排水溝とか、溝蓋が載置された排水溝にも配備することができるため、施工の際の制限が少ない。
【発明を実施するための最良の形態】
【００１６】
以下、この発明に係るグレーチング、および受け枠を実施するための最良の形態を図面に基づいて説明する。
【００１７】
図１ないし図１０は、本発明の一実施の形態を示す。図中符号１は、側溝とか横断溝等の排水溝となる溝ブロックである。２は、前記溝ブロック１の上方開口部に配備されるグレーチングである。４は、前記溝ブロック１において、グレーチング本体３が着脱可能に取り付け固定される受け枠である。
【００１８】
グレーチング２は、前記グレーチング本体３と、そのグレーチング本体３を受ける受け枠４と、グレーチング本体３を受け枠４に着脱可能に取り付け固定するグレーチング本体固定手段５とを備える。そして、受け枠４は、受け枠本体４ａと延設部４ｂとを有する。ここで、受け枠本体４ａは、溝ブロック１における蓋掛部１ａ、１ａのそれぞれに載るかさ上げ材６、６と、それらかさ上げ材６、６を各端側で連結する連結材７とから構成されている。一方、延設部４ｂは、溝ブロック１の排水路１ｂを覆う天壁１ｃ、または溝ブロック１に載置されるコンクリート蓋等の溝蓋（図示せず）の下に入り込むよう、前記連結材７、７のそれぞれから延設されている。そして、延設部４ｂ、４ｂの少なくとも一方は、受け枠本体４ａとは別体の延設片８に設けられる。そこで、受け枠４は、この延設片８を受け枠本体４ａ（詳細には、連結材７）に着脱可能に取り付け固定する延設片固定手段９を有する。すなわち、延設片８は、延設片固定手段９によって、受け枠本体４ａ（詳細には、連結材７）に着脱可能に取り付け固定される。詳しくは、延設片固定手段９は、互いに螺合する延設片固定用ボルト９ａと延設片固定用雌ねじ９ｂとからなる。また、前記グレーチング本体固定手段５は、互いに螺合する本体固定用ボルト５ａと本体固定用雌ねじ５ｂとからなる。
【００１９】
具体的には、グレーチング本体３は、図４および図５に示すように、メインバー３ａ、３ａと、補助バー３ｂ、３ｂおよびエンドバー３ｃ、３ｃとが格子状に組まれて形成されている。そして、グレーチング本体３の四隅には、取付板３ｄが設けられており、その取付板３ｄには、取付孔３ｅが明けられている。
【００２０】
受け枠４においては、図９および図１０に示すように、延設部４ｂ、４ｂの両方が、受け枠本体４ａとは別体の延設片８、８に設けられている。ここで、受け枠本体４ａにおけるかさ上げ材６は、パイプ状に形成されている。詳細には、かさ上げ材６は、断面矩形のパイプからなる。そして、このかさ上げ材６の上部壁６ａに、本体固定用雌ねじ５ｂが設けられ、その本体固定用雌ねじ５ｂに、グレーチング本体３を取り付け固定するための本体固定用ボルト５ａがねじ込まれる（図３参照）。詳細には、本体固定用ボルト５ａは、グレーチング本体３に設けられた取付孔３ｅを通って、本体固定用雌ねじ５ｂにねじ込まれる。より詳細には、本体固定用雌ねじ５ｂは、かさ上げ材６における上部壁６ａの裏面に溶接等により固定されたナットからなる。そして、上部壁６ａには、本体固定用雌ねじ５ｂのねじ孔に連通する通孔６ｂが明けられている。したがって、本体固定用ボルト５ａは、グレーチング本体３の取付孔３ｅを通り、そして、上部壁６ａの通孔６ｂを通って、本体固定用雌ねじ５ｂにねじ込まれる。また、かさ上げ材６には、溝ブロック１の側壁１ｄの内面と対向することで、溝ブロック１に対するずれを防止する、ずれ止め片６ｃ、６ｃが設けられている。
【００２１】
かさ上げ材６、６を連結する連結材７、７は、断面Ｌ字状のアングル材からなる。そして、この連結材７の底部７ａには、取付孔７ｂが明けられている。なお、かさ上げ材６、６と連結材７、７とは、例えば溶接により接合され、こうして、これらかさ上げ材６、６と連結材７、７とで構成される受け枠本体４ａは、一体化される。
【００２２】
延設片８は、断面略逆Ｕ字状に形成された板材からなる。そして、この延設片８には、延設片８を受け枠本体４ａ（詳細には、連結材７）に取り付け固定するための延設片固定用ボルト９ａがねじ込まれる、延設片固定用雌ねじ９ｂが設けられている。すなわち、延設片固定用ボルト９ａは、連結材７に設けられた取付孔７ｂを通って、延設片固定用雌ねじ９ｂにねじ込まれる（図８参照）。詳細には、延設片固定用雌ねじ９ｂは、延設片８の裏面に溶接等により固定されたナットからなる。そして、延設片８には、延設片固定用雌ねじ９ｂのねじ孔に連通する通孔８ａが明けられている。したがって、延設片固定用ボルト９ａは、連結材７の取付孔７ｂを通り、そして、延設片８の通孔８ａを通って、延設片固定用雌ねじ９ｂにねじ込まれる。
【００２３】
次に、以上の構成からなるグレーチング２の作用効果について説明する。このグレーチング２を溝ブロック１に配備するにあたって、先ず、受け枠４を溝ブロック１に配備する（図６〜図８参照）。そして、受け枠４を溝ブロック１に配備するには、始めに、受け枠本体４ａを、そのかさ上げ材６、６が溝ブロック１の蓋掛部１ａ、１ａに載るようにして、溝ブロック１に配置する。このとき、延設部４ｂ、４ｂの両方が、受け枠本体４ａと別体の延設片８、８に設けられているので、受け枠本体４ａを真直ぐ下ろすようにして、その受け枠本体４ａを溝ブロック１に配置することができる。こうして、受け枠本体４ａを溝ブロック１に配置した後、延設部４ｂを、溝ブロック１の排水路１ｂを覆う天壁１ｃとか、溝ブロックに載置された溝蓋（図示せず）の下に差し入れるようにして、延設片８を、受け枠本体４ａの連結材７に、延設片固定手段９（ボルト９ａおよび雌ねじ９ｂ）を用いて取り付け固定する。このようにして、受け枠４を、天壁１ｃを備える溝ブロック１とか、溝蓋が載置された溝ブロック（図示せず）にも配備することができる。したがって、この受け枠４は、施工の際の制限が少ない。そして、受け枠４を溝ブロック１に配備した後に、グレーチング本体３を、受け枠４に、グレーチング本体固定手段５（ボルト５ａおよび雌ねじ５ｂ）を用いて取り付け固定する（図１〜図３参照）。ここにおいて、溝ブロック１のメンテナンス等においては、受け枠４を取り外す必要がなく、また、受け枠４側にかさ上げ材６が設けられているため、グレーチング本体３は軽くなり、そのグレーチング本体３の着脱の作業が容易となる。
【００２４】
また、延設片固定手段９は、延設片固定用ボルト９ａと延設片固定用雌ねじ９ｂとからなる。したがって、これらボルト９ａと雌ねじ９ｂを用いて、延設片８を受け枠本体４ａの連結材７に取り付け固定することで、延設片８における延設部４ｂと、溝ブロック１の天壁１ｃとか溝蓋（図示せず）の下面との隙間を調整したり、あるいは、延設部４ｂを天壁１ｃとか溝蓋（図示せず）の下面に当接させたりすることが可能となる。また、グレーチング本体固定手段５においては、パイプ状に形成されたかさ上げ材６の上部壁６ａに、本体固定用雌ねじ５ｂが設けられている。したがって、この本体固定用雌ねじ５ｂにねじ込まれる本体固定用ボルト５ａの先端部分を、かさ上げ材６の内側空間６ｄに収容することができる。また、図示実施の形態においては、本体固定用雌ねじ５ｂは、ナットからなり、このナットもまた、かさ上げ材６の内側空間６ｄに収容されている。
【００２５】
なお、本発明は、上述した実施の形態に限定されるわけではなく、その他種々の変更が可能である。例えば、受け枠４において、延設部４ｂ、４ｂの両方が、受け枠本体４ａとは別体の延設片８、８に設けられていなくとも、延設部４ｂ、４ｂの一方のみが、受け枠本体４ａと別体の延設片８に設けられ、他方が、受け枠本体４ａと一体となっていてもよい。この構成では、受け枠本体４ａを溝ブロック１に配置する際には、受け枠本体４ａと一体となった延設部４ｂ側が下となるように、受け枠本体４ａを傾斜させて、その一体となった延設部４ｂを、溝ブロック１の排水路１ｂを覆う天壁１ｃとか、溝ブロック１に載置された溝蓋（図示せず）の下に差し入れる。続いて、受け枠本体４ａの、延設部４ｂが設けられていない側（つまり、その後に、延設片８が取り付けられる側）を下ろすようにして、この受け枠本体４ａを溝ブロック１に配置する。
【００２６】
また、受け枠４を溝ブロック１に配備するにあたって、始めに、延設片８が取り付けられていない受け枠本体４ａを溝ブロック１に配置してもよいが、その他に、延設片８を、受け枠本体４ａに、その受け枠本体４ａの枠からはみ出さない状態で仮止めし、その延設片８が仮止めされた受け枠本体４ａを、溝ブロック１に配置しても構わない。すなわち、例えば、一組のボルト９ａと雌ねじ９ｂを用いて、延設片８を、受け枠本体４ａに、受け枠本体４ａの枠からはみ出さない向きで仮止めする。そして、その延設片４ａが仮止めされた受け枠本体４ａを、溝ブロック１に配置する。その後、延設片８を、所定の向きとなるよう（すなわち、溝ブロック１の天壁１ｃとか、溝ブロックに載置された溝蓋（図示せず）の下に差し入れるよう）、ボルト９ａの軸回りに回動する。そして、その一組のボルト９ａと雌ねじ９ｂとを締結するとともに、図示実施の形態においては、残りの組のボルト９ａと雌ねじ９ｂとを締結する。こうして、延設片８が受け枠本体４ａに取り付け固定されて、受け枠４が溝ブロック１に配備される。
【００２７】
また、かさ上げ材６は、断面矩形のパイプからならなくとも、図１１に示すように、断面略矩形のパイプにおいて、蓋掛部１ａに載る外側のコーナーが円弧状となる、パイプからなっていてもよく、また、図示を省略するが、断面略矩形のパイプにおいて、蓋掛部１ａに載る外側のコーナーが斜めに面取りされた、すなわち、下方ほど排水路１ｂ側に寄る傾斜面によって構成されるパイプからなっていてもよく、また、その他の形状のパイプからなってもよい。さらに、かさ上げ材６は、パイプからならなくとも、例えば、板材を折り曲げて、パイプ状に形成したものでもよく、また、かさ上げ材６としての高さが確保されていれば、例えば、断面コ字状など、必ずしも、パイプ状でなくともよい。
【００２８】
また、受け枠本体４ａにおいて、かさ上げ材６と連結材７とは、別部材からなり、それらが例えば溶接により接合されなくとも、かさ上げ材６と連結材７とが一部材からなり、その一部材が曲げられることで、かさ上げ材６と連結材７とを形成していてもよい。
【００２９】
また、受け枠４に対して、グレーチング本体３が一つ取り付けられなくとも、グレーチング本体３が、複数並ぶようにして取り付けられても構わない。
【００３０】
また、延設片固定手段９における延設片固定用雌ねじ９ｂは、ナットからならなくとも、延設片８に直接設けられたねじ孔からなっていてもよい。同様に、グレーチング本体固定手段５における本体固定用雌ねじ５ｂは、ナットからならなくとも、かさ上げ材６の上部壁６ａに直接設けられたねじ孔からなっていてもよい。
【００３１】
また、参考ではあるが、延設片固定手段９は、ボルト９ａと雌ねじ９ｂとからならなくとも、その他の固定具あるいは固定構造からなっていてもよい。
また、グレーチング本体固定手段５は、ボルト５ａと雌ねじ５ｂとからならなくとも、その他の固定具あるいは固定構造からなっていてもよい。
【００３２】
また、延設部４ｂは、それぞれの連結材７、７に、複数個設けられてもよい。
【００３３】
また、溝ブロック１は、勾配可変型、暗渠型、あるいはＵ字型の溝ブロック（詳細には、側溝ブロックとか横断溝ブロック）であってもよい。さらに、排水溝は、溝ブロック１からならなくとも、現場打設されるものであってもよい。
【図面の簡単な説明】
【００３４】
【図１】この発明の一実施の形態の、グレーチングを溝ブロックに配備した状態を示す平面図である。
【図２】同じく、図１におけるＡ−Ａ線による断面図である。
【図３】同じく、図１におけるＢ−Ｂ線による拡大断面図である。
【図４】同じく、グレーチング本体の平面図である。
【図５】同じく、グレーチング本体の側面図である。
【図６】同じく、受け枠を溝ブロックに配備した状態を示す平面図である。
【図７】同じく、図６におけるＣ−Ｃ線による断面図である。
【図８】同じく、図６におけるＤ−Ｄ線による拡大断面図である。
【図９】同じく、受け枠の分解平面図である。
【図１０】同じく、受け枠の分解拡大側面図である。
【図１１】この発明の他の実施の形態の、図８相当図である。
【図１２】従来の受け枠を示す平面図である。
【符号の説明】
【００３５】
１  溝ブロック（排水溝）
１ａ  蓋掛部
１ｂ  排水路
１ｃ  天壁
１ｄ  側壁
２  グレーチング
３  グレーチング本体
３ｅ  取付孔
４  受け枠
４ａ  受け枠本体
４ｂ  延設部
５  グレーチング本体固定手段
５ａ  本体固定用ボルト
５ｂ  本体固定用雌ねじ
６  かさ上げ材
６ａ  上部壁
６ｃ  ずれ止め片
７  連結材
８  延設片
９  延設片固定手段
９ａ  延設片固定用ボルト
９ｂ  延設片固定用雌ねじ
【図１】
0004454579.tif 000002
【図２】
0004454579.tif 000003
【図３】
0004454579.tif 000004
【図４】
0004454579.tif 000005
【図５】
0004454579.tif 000006
【図６】
0004454579.tif 000007
【図７】
0004454579.tif 000008
【図８】
0004454579.tif 000009
【図９】
0004454579.tif 000010
【図１０】
0004454579.tif 000011
【図１１】
0004454579.tif 000012
【図１２】
0004454579.tif 000013